(57)【要約】【課題】ドアを閉じる際の衝撃によって生じる音を低減するための消音対策に関し、新規な技術を提案する。【解決手段】回動して閉じられる室内ドア１（戸体）を受け止めて、室内ドア１を枠体（戸先側縦枠２）に納めるための戸当り構造Ｔであって、前記枠体（戸先側縦枠２）側に固定される戸当り部材２０を有し、前記戸当り部材２０は、前記枠体の上下寸法の一部の範囲に配置される構成とするものである。これにより、ドアを閉じる際の衝撃によって生じる音を低減する。【選択図】図２
2009287258.tif 000002
【特許請求の範囲】
【請求項１】
回動して閉じられる戸体を受け止めて、前記戸体を枠体に納めるための戸当り構造であって、
前記枠体側に固定される戸当り部材を有し、
前記戸当り部材は、前記枠体の上下寸法の一部の範囲に配置される構成とする、
戸当り構造。
【請求項２】
前記戸当り部材は、
前記戸体から突出されるラッチを収容するラッチ収容部を有するラッチ用受金具に、一体的に設けられる、
ことを特徴とする請求項１に記載の戸当り構造。
【請求項３】
前記枠体には、前記枠体と戸体との間に形成される隙間を隠すための目隠し材が設けられ、
前記目隠し材の内側には、戸当り部材固定部が配置され、
前記戸当り部材固定部には、前記戸当り部材が固定され、
前記目隠し材の切欠部から、前記戸当り部材が前記戸体の戸先側へ向かって突出される構成とする、
ことを特徴とする請求項１に記載の戸当り構造。
【請求項４】
前記戸当り部材は、
前記戸体からの荷重を受け止めて収縮する緩衝素材にて構成される、
ことを特徴とする、請求項２又は請求項３に記載の戸当り構造。
【請求項５】
戸体から突出されるラッチを収容するラッチ収容部を有するラッチ用受金具であって、
回動して閉じられる戸体を受け止めるための戸当り部材を有し、
前記戸当り部材の上下寸法は、前記ラッチ用受金具の上下寸法と略同一とする、
ラッチ用受金具。
【発明の詳細な説明】
【技術分野】
【０００１】
本発明は、室内ドアなどの戸体の閉鎖時に発生する音の消音対策に関する。
【背景技術】
【０００２】
特許文献１に開示されるように、従来の室内ドアの構成において、開口部の縦枠及び横枠の内側を囲むように長尺の戸当り部材や隙間隠し部材を設け、室内ドアと縦枠の間、及び、室内ドアと横枠の間にそれぞれ形成される隙間を覆い、遮光を行う構成が知られている。
【０００３】
また、特許文献１では、戸先側に対応する縦枠に配置されるものを戸当り部材とし、この戸当り部材にて隙間隠しを行うこととしている。また、戸当り部材の長手方向全長に亘り、薄い板状の軟質部材を連続的に設け、この軟質部材によって室内ドアが衝突する際の衝撃を吸収することとしている。
【０００４】
【特許文献１】特開２０００−８７６６１号公報
【発明の開示】
【発明が解決しようとする課題】
【０００５】
しかし、特許文献１に開示されるような戸先側の戸当り部材にて、室内ドアから与えられる衝撃を受け止める構成の場合では、開口部の縦枠の全体、即ち、縦枠の上下方向の全範囲でドアの衝撃を受けることになり、その衝撃によって「バタン」、若しくは、「ドン」というような、低く重い音が生じることになる。
【０００６】
このような音の発生は、縦枠の広い範囲でドアからの衝撃を受け止めることで振動が発生し、この振動が縦枠から連続的に配置される壁にも伝わり、この壁の振動によっても音が発生するためと考えられる（共鳴する）。また、ドアの略全体に振動が発生し、この振動が吊元側の縦枠やその縦枠に連続的に配置される壁にも伝わり、吊元側の壁の振動によっても音が発生するためと考えられる（共鳴する）。
【０００７】
そして、特に、ドアを閉じる際に生じる「バタン」、若しくは、「ドン」といった低く重い音は、波長が長いため、広範囲に伝わることになる。このため、同階において離れた部屋からもドアの閉じる音が聞こえたり、他の階の部屋へ音が伝わるといった不具合が生じることになる。また、特に、マンションなどの集合住宅においては、上下隣、左右隣の住居の居住者に迷惑がかかるといった問題が生じ、苦情が発生することが懸念される。
【０００８】
そこで、本発明は以上の問題点に鑑み、ドアを閉じる際の衝撃によって生じる音を低減するための消音対策に関し、新規な技術を提案するものである。
【課題を解決するための手段】
【０００９】
本発明の解決しようとする課題は以上の如くであり、次にこの課題を解決するための手段を説明する。
【００１０】
即ち、請求項１に記載のごとく、回動して閉じられる戸体を受け止めて、戸体を枠体に納めるための戸当り構造であって、前記枠体側に固定される戸当り部材を有し、前記戸当り部材は、前記枠体の上下寸法の一部の範囲に配置される構成とするものである。
【００１１】
また、請求項２に記載のごとく、前記戸当り部材は、戸体から突出されるラッチを収容するラッチ収容部を有するラッチ用受金具に、一体的に設けられる構成とするものである。
【００１２】
また、請求項３に記載のごとく、前記枠体には、前記枠体と戸体との間に形成される隙間を隠すための目隠し材が設けられ、
前記目隠し材の内側には、戸当り部材固定部が配置され、
前記戸当り部材固定部には、前記戸当り部材が固定され、
前記目隠し材の切欠部から、前記戸当り部材が前記戸体の戸先側へ向かって突出される構成とするものである。
【００１３】
また、請求項４に記載のごとく、前記戸当り部材は、前記戸体からの荷重を受け止めて収縮する緩衝素材にて構成されることとするものである。
【００１４】
また、請求項５に記載のごとく、戸体から突出されるラッチを収容するラッチ収容部を有するラッチ用受金具であって、回動して閉じられる戸体を受け止めるための戸当り部材を有し、前記戸当り部材の上下寸法は、前記ラッチ用受金具の上下寸法と略同一とする、ラッチ用受金具とするものである。
【発明の効果】
【００１５】
本発明の効果として、以下に示すような効果を奏する。
【００１６】
即ち、請求項１に記載の発明においては、戸体から受ける衝撃が、戸当り部材によって緩衝され、また、戸当り部材が枠体の上下寸法の一部の範囲に設けられることから、枠体の全範囲に衝撃が伝わることを防ぐことができる。そして、振動の伝わる範囲を削減することができることになり、戸体が閉じられる際に生じ得る、「バタン」、若しくは、「ドン」といった低く重い音の発生を抑制することが可能となる。
【００１７】
また、請求項２に記載の発明においては、ラッチ用受金具について、戸当り部材を固定するための機能を適用することができ、部品点数の削減や、施工工数の削減などを図ることが可能となる。
【００１８】
また、請求項３に記載の発明においては、戸当り部材固定部が目隠し材によって隠されて外観に現れることがないため、目隠し材による意匠性を確保することができる。特に、例えば、目隠し材の見込面と、戸先側縦枠の見込面とが木目などの同一の意匠にて構成する場合には、その統一感を損なうことなく、戸当り部材を配置することが可能となる。
【００１９】
また、請求項４に記載の発明においては、緩衝素材によって戸体からの衝撃を吸収、緩和することができる。
【００２０】
また、請求項５に記載の発明においては、ラッチ用受金具について、戸当り部材を固定するための機能を適用することができ、部品点数の削減や、施工工数の削減などを図れることになる。
【発明を実施するための最良の形態】
【００２１】
次に、発明の実施の形態を説明する。
図１に示すごとく、室内ドア１は、戸先側縦枠２、吊元側縦枠３、及び、天井側横枠４により囲まれた枠体５の中に納められる。また、各枠２・３・４の見込面には、それぞれ目隠し材６・７・８がそれぞれ配置されている。この目隠し材６・７・８は、長尺に構成されており、室内ドア１と各枠２・３・４の間に形成される隙間を覆い、遮光を行うこととしている。
【００２２】
また、図１に示すごとく、戸先側縦枠２には、室内ドア１側に配置される箱錠１１と対応する位置に、ラッチ用受金具１２が配置されている。そして、このラッチ用受金具１２の近傍に、室内ドア１を受け止める戸当り部材２０が設けられている。
【００２３】
また、図２及び図３に示すごとく、戸当り部材２０は、上下方向に長い長尺の緩衝素材にて構成されており、室内ドア１側の戸先側には、室内ドア１の表面に当接される当接面２１を形成している。
【００２４】
また、図３及び図４に示すごとく、戸当り部材２０は、支持具２２に取り付けられている。この支持具２２は、戸先側縦枠２に形設された凹部２ａに壁面に対しビスなどで固定される壁面固定部２２ａと、戸当り部材２０を固着するための戸当り部材固定部２２ｂを有している。この戸当り部材固定部２２ｂは、上下方向に長い見付面２２ｃを形成しており、この見付面２２ｃに対し、戸当り部材２０が接着剤などで固着される。
【００２５】
また、図３及び図４に示すごとく、この支持具２２は、戸先側縦枠２に形設された凹部２ａに嵌着される目隠し材６の内部に隠されて配置される。これにより、支持具２２が外観に現れることがなく、目隠し材６による意匠性が確保できるようになっている。また、目隠し材６は、断面視において中空の方形部材にて構成されており、凹部２ａの壁面に係止するための係止脚部６ａ・６ａを有している。
【００２６】
また、図４に示すごとく、この目隠し材６において、室内ドア１の戸先側の一部が切り欠かれており、この切欠部６ｃから室内ドア１の戸先側へ向かって、戸当り部材２０が突出されるようにしている。
【００２７】
また、図４に示すごとく、本実施形態では、戸当り部材２０の幅方向（室内ドア１の幅方向）の寸法Ｗ１が、目隠し材６の幅方向の寸法Ｗ２よりも狭く構成されることによって、図２に示すごとく、目隠し材６の見込面６ｂが連続的に構成されて、目隠し材６による意匠性が維持できるようにしている。ただし、室内ドア１から受ける衝撃が大きく、衝撃を分散させる必要がある場合には、戸当り部材２０について、目隠し材６の見込面６ｂから突出するような幅寸法を設定することとしてもよい。
【００２８】
また、図３に示すごとく、戸当り部材２０の高さ方向の寸法Ｈ１は、室内ドア１から受ける衝撃を分散できるように適宜設計される。しかし、仮に、目隠し材６と同様に戸先側縦枠２と同等の長尺寸法を有してしまうと、室内ドア１が勢いよく閉じられた際には、この衝撃が戸先側縦枠２の全体に伝わって壁への振動の伝達や、これに起因して共鳴が発生するなどの不具合が生じることになる。このため、目隠し材６の高さ方向の寸法Ｈ１については、戸先側縦枠２の上下寸法よりも短く構成する、即ち、例えば、戸先側縦枠２の上下寸法の半分以下に設定することや、ラッチ用受金具１２の上下寸法Ｈ２と同等の寸法に設定することなどが好適である。また、戸当り部材２０は、室内ドア１の上下端部位置に対応する箇所に、それぞれ設ける構成としてもよい。
【００２９】
また、図４に示すごとく、戸当り部材２０は、ゴム、樹脂、発泡材などの緩衝素材からなる長尺の成形品に構成されており、特に限定されるものではないが、室内ドア１からの衝撃を受けて収縮し、ラッチ用受金具１２のラッチ収容部１２ａ内へのラッチ１３の挿入を可能とするとともに、室内ドア１が開かれた際には、弾性復帰することで収縮前の状態に膨張し、次回室内ドア１が閉じられる際においても、室内ドア１を受け止めるように構成されるものとする。また、戸当り部材２０は、長尺に構成されるほか、複数のブロック状のものを離間して配置される構成としてもよい。
【００３０】
また、図５に示すごとく、戸当り部材２０の奥行寸法Ｌ１（見込み寸法）に関し、戸当り部材２０の当接面２１が、室内ドア１が完全に閉じられた状態における室内ドア１の表面の位置１Ａよりも、室内ドア１が開かれた側となる位置２１Ｂに配置されるように設定される。そして、室内ドア１が閉じられることによって、この位置２１Ｂから位置２１Ａとなるまで収縮されるようになっている（図４の状態）。そして、再び、室内ドア１が開かれた際には、位置２１Ｂまで復帰するように設定される（図５の状態）。
【００３１】
また、図４に示すごとく、本実施形態では、室内ドア１が閉じた状態では、室内ドア１が、収縮した戸当り部材２０から荷重（弾性復帰力）を受けることになるため、ラッチ用受金具１２のラッチ収容部１２ａに収容されたラッチ１３においては、ラッチ１３の回動規制面１３ｂが、ラッチ収容部１２ａの縦壁面１２ｂを押圧するようにして接触した状態となる。このため、室内ドア１を開く際において、ラッチ１３が室内ドア１側へ引き込まれるときには、回動規制面１３ｂと縦表面１３ａが擦れ合うため、「擦れ音」が発生してしまうことが懸念される。このため、縦壁面１２ｂの表面を、緩衝素材１４にて被覆することにより、この「擦れ音」の発生を抑制することが可能となる。
【００３２】
また、図４に示すごとく、室内ドア１が閉じた状態では、戸当り部材２０の弾性復帰力により、ラッチ１３の回動規制面１３ｂが、ラッチ収容部１２ａの縦壁面１２ｂの緩衝素材１４に接触する。これにより、ラッチ１３がラッチ収容部１２ａの中でずれることがなく、ラッチ１３がラッチ用受金具１２により支持された状態が維持されることになる。換言すれば、緩衝素材１４と戸当り部材２０との間で、室内ドア１を挟むように押えることにより、室内ドア１を支持する構成とするものである。これにより、室内ドア１が全体としてばたつく（がたつく）ことを無くすことができる。
【００３３】
さらに、図４及び図５に示すごとく、ラッチ１３の回動規制面１３ｂが、ラッチ収容部１２ａの縦壁面１２ｂの緩衝素材１４に接触することになるため、トロヨケ部材１５を移動させることによる縦壁面１２ｂの位置調整に関する作業を簡素化することができる。仮に、緩衝素材１４にて縦壁面１２ｂを被覆しない場合には、縦壁面１２ｂの位置（見込方向の位置）を調整することで、縦壁面１２ｂとラッチ１３の回動規制面１３ｂとの位置関係の設定をする必要がある。しかし、緩衝素材１４を設けることによれば、緩衝素材１４の収縮と戸当り部材２０の収縮によって室内ドア１が挟まれることにより、縦壁面１２ｂと回動規制面１３ｂとの関係における最適な位置からの誤差を吸収（解消）することができるようになる。このように、緩衝素材１４にて縦壁面１２ｂを被覆することにより、室内ドア１の施工時における作業性を向上することができる。なお、この誤差の吸収（解消）に関して、緩衝素材１４、若しくは、戸当り部材２０のいずれか一方を有効に機能させることとしてもよい。
【００３４】
また、図４に示す緩衝素材１４は、周知のゴム、樹脂、発泡材などであって、例えば、ウレタンゴム、ＣＲゴム、ＥＰＤゴム、フッ素ゴム、シリコンゴムなどの利用が考えられる。また、表面の摺動性（すべり性）を向上させるために、ＰＴＦＥ（ポリテトラフルオロエチレン）などで弾性素材の表面をコーティングしたり、弾性素材に配合してもよい。また、被覆の形態には、弾性素材で構成した別部材を接着剤などで接着固定（貼り付ける）する、溶液状の弾性素材を適用箇所に塗布する、さらには、熱をかけながらプレスによって溶着させるなど、様々な形態が含まれるものとする。
【００３５】
また、図６及び図７に示すごとく、ラッチ用受金具６０・７０に戸当り部材４０を固定するための戸当り部材固定部６１・７１を設けることとしてもよい。図６の例では、ラッチ用受金具６０のストライク６２に戸当り部材固定部６１を立設し、この戸当り部材固定部６１の上下方向の寸法と略同一の戸当り部材４０を固定する構成とするものである。また、戸当り部材固定部６１は、上下方向に長い見付面６１ａを有しており、この見付面６１ａに対して、戸当り部材４０が接着剤などで固着される構成とする。
【００３６】
また、図７の例では、ラッチ用受金具７０のストライク７２を見込方向に延長し、その端部において、戸先側縦枠２の凹部２ａに固定するための壁面固定部７３と、戸当り部材４０を固定するための戸当り部材固定部７１を設ける構成としている。また、戸当り部材固定部７１は、上下方向に長い見付面７１ａを有しており、この見付面７１ａに対して、戸当り部材４０が接着剤などで固着される構成とする。なお、この図７の構成の場合、壁面固定部７３は、戸先側縦枠２の凹部２ａに固定される図示せぬ目隠し材によって隠されることになる。
【００３７】
そして、図６及び図７に示す構成によれば、ラッチ用受金具６０・７０について、戸当り部材４０を固定するための機能を適用することができ、部品点数の削減や、施工工数の削減などを図れることになる。
【００３８】
また、以上の例では、戸当り部材について、長尺状の成形品のみで構成することとしたが、図８に示すごとく、板材５２を、スプリングや板バネなどからなる圧縮バネ５１（図の例ではスプリング）を介して支持具５３にて支持する構成とし、この構成にて戸当り部材５０としてもよい。また、板材５２における室内ドア１との接触面について、緩衝素材５４にて被覆することとしてもよい。また、圧縮バネ５１を隠すような板材５５を板材５２とともに設けることで、この板材５５にて圧縮バネ５１を隠すとともに、板材５５の見込面５５ｂと、目隠し材６の見込面６ｂを木目などの同様の意匠にて構成することによれば、優れた意匠性を確保することが可能となる。なお、圧縮バネ５１の代わりに、上述した成形品による戸当り部材を利用してもよい。
【００３９】
以上のようにして、本発明を実施することができる。
即ち、図１及び図２に示すごとく、回動して閉じられる室内ドア１（戸体）を受け止めて、室内ドア１を枠体（戸先側縦枠２）に納めるための戸当り構造Ｔであって、前記枠体（戸先側縦枠２）側に固定される戸当り部材２０を有し、前記戸当り部材２０は、前記枠体の上下寸法の一部の範囲に配置される構成とするものである。
【００４０】
この構成により、室内ドア１から受ける衝撃が、戸当り部材２０によって緩和され、また、戸当り部材２０が枠体の上下寸法の一部の範囲に設けられることから、枠体の全範囲に衝撃が伝わることを防ぐことができる。そして、振動の伝わる範囲を削減することができることになり、室内ドア１が閉じられる際に生じ得る、「バタン」、若しくは、「ドン」といった低く重い音の発生を抑制することが可能となる。
【００４１】
また、図６及び図７に示すごとく、前記戸当り部材固定部６１・７１は、室内ドア１から突出されるラッチ３を収容するラッチ収容部１２ａを有するラッチ用受金具６０・７０に、一体的に設けられる構成とすることができる。
【００４２】
また、図６及び図７に示すごとく、戸体から突出されるラッチを収容するラッチ収容部１２ａを有するラッチ用受金具６０・７０であって、回動して閉じられる戸体を受け止めるための戸当り部材４０を有し、前記戸当り部材４０の上下寸法は、前記ラッチ用受金具６０・７０の上下寸法と略同一とする、ラッチ用受金具６０・７０とするものである。
【００４３】
この構成によれば、図６及び図７に示すごとく、ラッチ用受金具６０・７０について、戸当り部材４０を固定するための機能を適用することができ、部品点数の削減や、施工工数の削減などを図ることが可能となる。
【００４４】
また、図２に示すごとく、前記枠体（戸先側縦枠２）には、前記枠体（戸先側縦枠２）と室内ドア１との間に形成される隙間を隠すための目隠し材６が設けられ、前記目隠し材６の内側には、戸当り部材固定部２２ｂが配置され、前記戸当り部材固定部２２ｂには、戸当り部材２０が固定され、前記目隠し材６の切欠部６ｃから、前記戸当り部材２０が前記室内ドア１の戸先側へ向かって突出される構成とするものである。
【００４５】
この構成により、図２に示すごとく、戸当り部材固定部２２ｂが目隠し材６によって隠されて外観に現れることがないため、目隠し材６による意匠性を確保することができる。特に、例えば、目隠し材６の見込面６ｂと、戸先側縦枠２の見込面２ｂとが木目などの同一の意匠にて構成する場合には、その統一感を損なうことなく、戸当り部材２０を配置することが可能となる。
【産業上の利用可能性】
【００４６】
本発明の活用例として、戸先側のドア枠に設ける戸当り部材として幅広く適用可能であり、例えば、室内ドア、玄関ドアのドア枠の他、トイレドア、浴室ドア、クローゼットなど、様々な形態の戸体に対応して設けられる戸当り部材について幅広く適用可能である。また、親子扉の構成において、子扉側に設けられる戸当り部材についても適用可能である。
【図面の簡単な説明】
【００４７】
【図１】本発明の一実施形態にかかる戸当り部材を備えた構成について示す正面図。
【図２】本発明の一実施形態にかかる戸当り部材を備えた構成について示す斜視図。
【図３】戸当り部材を取り付けた構成について示す正面図。
【図４】戸当り部材を取り付けた構成について示す水平断面図。
【図５】室内ドアが開き、戸当り部材が復帰した状態について示す水平断面図。
【図６】ラッチ用受金具に戸当り部材固定部を設ける構成例について示す斜視図。
【図７】ラッチ用受金具に戸当り部材固定部を設ける他の構成例について示す斜視図。
【図８】戸当り部材の他の実施形態について示す図。
【符号の説明】
【００４８】
１    室内ドア
２    戸先側縦枠
６    目隠し材
１１    箱錠
１２    ラッチ用受金具
１２ａ    ラッチ収容部
１２ｂ    縦壁面
１３    ラッチ
１３ａ    縦表面
１３ｂ    回動規制面
１４    緩衝素材
１５    トロヨケ部材
２０    戸当り部材
２２    支持具
【図１】
2009287258.tif 000003
【図２】
2009287258.tif 000004
【図３】
2009287258.tif 000005
【図４】
2009287258.tif 000006
【図５】
2009287258.tif 000007
【図６】
2009287258.tif 000008
【図７】
2009287258.tif 000009
【図８】
2009287258.tif 000010